(57)【要約】  【課題】  本考案は、ベルトの両端を繋ぎ、周長を調節する留具を犬等の腹側に位置させて、装飾部を犬等の首部の側部から背中側のほぼ全域にわたって位置させて見栄えを良くすると共に、連結具が折れたり、外れたりすることがなく、十分な強度を有し、首輪に連結されたリードの引き方向によって、首輪が破損したり、該首輪の周長が変化してしまうことも防止出来る首輪を提供することを目的とする。  【解決手段】  周長を調節可能な留具を有するベルトと、リードを連結するための閉曲線状を成す連結環とを備え、ベルトが連結環に通され、該連結環が、ベルトの長手方向のほぼ中央部に位置し、該ベルトを周状の使用状態にした際に、留具の位置に対して連結環の位置が、周状にした首輪のほぼ直径位置に在って、ベルトに対して揺動可能に取り付けられていることを特徴とするていることを特徴とする。  【選択図】  図１
0003130191.tif 000002
【実用新案登録請求の範囲】
【請求項１】
周長を調節可能な留具を有するベルトと、リードを連結するための閉曲線状を成す連結環とを備え、ベルトが連結環に通され、ベルトが通された連結環が、ベルトの長手方向のほぼ中央部に位置し、該ベルトを周状の使用状態にした際に、留具の位置に対して連結環の位置が、周状にした首輪のほぼ直径位置に在って、ベルトに対して揺動可能に取り付けられていることを特徴とする首輪。
【請求項２】
閉曲線状をなす連結環が、略Ｄ字状をなし、該Ｄ字状の直線部の長さが、ベルトの幅よりも若干大きめにとられていることを特徴とする請求項１に記載の首輪。
【請求項３】
閉曲線状をなす連結環が、略Ｄ字状をなし、該Ｄ字状の曲線部が、首輪に連結されるリードの一端に取り付けられている留具を容易に留めることが出来るように、十分大きめにとられ、ベルトの外側表面と曲線部内側との間に十分に広い空間がとられていることを特徴とする請求項１又は２に記載の首輪。
【請求項４】
ベルトの外側表面には、装飾部材が固設されていることを特徴とする請求項１乃至３の何れかに記載の首輪。
【請求項５】
一端に周長を調節可能な留具が取り付けられ、外側表面の適当な位置に多数の装飾部材が固設されてなるベルトと、リードを連結するための略Ｄ字状を成す連結環とを備え、該ベルトが該連結環に通され、該連結環が該ベルトを周状の使用状態にした際に、前記留具の位置に対して連結環の位置が該周状にした首輪のほぼ直径位置に在るように、該ベルトに対して揺動可能に取り付けられ、略Ｄ字状をなす連結環の該Ｄ字状の直線部の長さがベルトの幅よりも若干大きめにとられ、該Ｄ字状の曲線部が、首輪に連結されるリードの一端に取り付けられている留具を、容易に留めることが出来るように、十分大きめにとられていることを特徴とする首輪。
【考案の詳細な説明】
【技術分野】
【０００１】
本考案は、犬猫等の動物に用いる首輪に関する。
【背景技術】
【０００２】
従来の動物用の首輪は、首輪の本体部分をなすベルトと、このベルトの両端部を繋いで周状の使用状態にすると共に、首輪の周長を調節するための留具と、該首輪と所謂リードとも呼ばれる引紐或いは引綱とを互いに連結するための連結具とを備え、ベルト両端部分を留具によって繋ぐようにして、犬等の動物の首部を周囲することで使用状態を得るように構成されている。一般的に普及しているこの種の首輪の大部分は、ベルトの外側表面に装飾が施されている。しかしながら、従来の首輪の多くは、連結具が、留具に一体化された構成、或いはベルトの一端に取り付けられた構成をとっていて、ベルト両端どうしの繋ぎ合わせ部分に連結具が位置する構成になっており、犬等に当該首輪を装着し、連結具にリードを連結した際に、必然的に該繋ぎ合せ部分が犬等の背中側に位置することになってしまい、ベルトに施された装飾が腹側になって目立たなくなり、見栄えが悪くなるという問題があった。特に、ベルトの一端に、リード連結用の環状の連結具が取り付けられた構成の首輪においては、首輪に連結されたリードを引く方向によって、連結具が取り付けられた側のベルトの先端が捲れ上がって装飾部を隠してしまうという問題もあった。更に、この種の首輪にあっては、リードを連結して従来の首輪を付けた犬を散歩させる場合には、犬の歩く方向やリードの引き具合によって、リードに連結された連結具が様々な方向へ引っ張られ、これに伴って連結具が取り付けられたベルトの端部も引っ張られるため、首輪の周長が伸びたり縮んだりしてしまうという問題があった。
【０００３】
上記の如き問題を解決するものとして、ベルトを周状にした際に、ベルトの両端を繋ぎつつ周長を調節するための留具に対してほぼ直径位置に、リード連結用の連結具を固設する首輪が提案されている。この首輪の連結具は、リードを連結するための環状部と、この環状部から直線状に延出した棒状部とからなり、該棒状部の先端部分がリベット状をなし、ベルトの長手方向のほぼ中央位置にリベット状に固設され、ベルト表面から垂直に凸設される。このような構成を採ることによって、ベルトの両端を繋ぐ留具を犬等の腹側に位置させ、装飾を施したベルトの外側表面部分を犬等の首部の側部から背中側のほぼ全域にわたって位置させることが可能となり、見栄えを良くすることが出来る。また、リードが連結される連結具が、ベルトの両端を繋いだり、周長を調節する留具の位置から対極的な位置に配設されているために、犬の歩く方向やリードを引く方向に依存して首輪の周長が伸び縮みして、犬等の首部を締付けたり、弛んで外れてしまったりすることを防止出来る。しかしながら、このようなリベット状の連結具を用いた構成の首輪にあっては、該連結具に連結できるリードのフックの大きさが限定されてしまうという問題がある。それは、連結具の環状部の大きさによって連結可能なフックの大きさが規定されるが、環状部の大きさを大きくとると、その分、連結具のベルトに対する取付部からの高さが増し、垂直方向に対するリードの引きによるモーメントが大きくなって、連結具やその固設部であるベルト生地に大きな負荷を強いることになるからであり、そのため、当該連結具を余り大きめにとることが出来ない。つまり、このような構成の首輪には、ベルトに対する連結具の固設方法に構造的な無理があり、連結具の強度が不十分な場合には連結具が折れたり、若しくは連結具の強度が十分であっても連結具がベルトから抜脱したりする畏れがあった。
【考案の開示】
【考案が解決しようとする課題】
【０００４】
本考案は、上述の如くの問題点に鑑みてなされたものであり、ベルトの両端を繋ぎ、周長を調節する留具を犬等の腹側に位置させて、装飾部を犬等の首部の側部から背中側のほぼ全域にわたって位置させて見栄えを良くすると共に、連結具が折れたり、外れたりすることがなく、十分な強度を有し、首輪に連結されたリードの引き方向によって、首輪が破損したり、該首輪の周長が変化してしまうことも防止出来る首輪を提供することを目的とする。
【課題を解決するための手段】
【０００５】
上記課題を解決するために本考案が採った手段は、周長を調節可能な留具を有するベルトと、リードを連結するための閉曲線状を成す連結環とを備え、ベルトが連結環に通され、ベルトが通された連結環が、ベルトの長手方向のほぼ中央部に位置し、該ベルトを周状の使用状態にした際に、留具の位置に対して連結環の位置が、周状にした首輪のほぼ直径位置に在って、ベルトに対して揺動可能に取り付けられていることを特徴とする。
【０００６】
閉曲線状をなす連結環が、略Ｄ字状をなし、該Ｄ字状の直線部の長さが、ベルトの幅よりも若干大きめにとられていることを特徴とする。
【０００７】
閉曲線状をなす連結環が、略Ｄ字状をなし、該Ｄ字状の曲線部が、首輪に連結されるリードの一端に取り付けられている留具を容易に留めることが出来るように、十分大きめにとられ、ベルトの外側表面と曲線部内側との間に十分に広い空間がとられれていることを特徴とする。
【０００８】
ベルトの外側表面には、装飾部材が固設されていることを特徴とする。
【０００９】
一端に周長を調節可能な留具が取り付けられ、外側表面の適当な位置に多数の装飾部材が固設されてなるベルトと、リードを連結するための略Ｄ字状を成す連結環とを備え、該ベルトが該連結環に通され、該連結環が該ベルトを周状の使用状態にした際に、前記留具の位置に対して連結環の位置が該周状にした首輪のほぼ直径位置に在るように、該ベルトに対して揺動可能に取り付けられ、略Ｄ字状をなす連結環の該Ｄ字状の直線部の長さがベルトの幅よりも若干大きめにとられ、該Ｄ字状の曲線部が、首輪に連結されるリードの一端に取り付けられている留具を、容易に留めることが出来るように、十分大きめにとられていることを特徴とする。
【考案の効果】
【００１０】
本考案は、予め閉曲線状をなす連結環にベルトを通し、該ベルトのほぼ中央部に該連結環を揺動可能に位置するように構成し、リードを連結するための該連結環と、ベルトの一端に固設された周長調節を行なうための留具とが互いに独立的、対極的に配置するように構成したことによって、留具を常に犬等の腹側に位置させて装飾部を首部の側部から背中側に至るほぼ全域にわたって位置させることが可能となり、見栄えを良くすることが出来る。
【００１１】
又、ベルトの端部に連結具が固設された構成の首輪と異なり、リードの引き具合によってベルトが変形したり、周状になされたベルトの一端が捲れるようにしてベルト表面を覆ってしまったりすることがなく、常にベルト表面に配設された装飾材がよく見えるという効果がある。
【００１２】
従来の錨状をなす連結具では、強度を得るために連結具を余り大きくすることが出来ず、このため連結可能なリードのフックは小さめなものに制限されていたが、この考案の連結環の場合には、ベルトが該連結環に通されて取り付けられているので、連結環の大きさ等は自由に設定出来き、様々な大きさのフックのリードを連結することが可能となるという効果がある。
【００１３】
本考案の連結環は、ベルトを周囲して配設されているので、従来の錨状をなす連結具と違い、折れたり、外れたりすることがなく、全体として首輪に十分な強度を持たせることが出来、万が一、ベルトの所定位置に対して連結環を配設している部材が破損して該連結環が開放されてもベルトが引き千切れたりしない限り、環状にされたベルトからは連結環が外れずに保持されるという効果がある。
【００１４】
更に、本考案の連結環は、ベルトの所定の位置に対して、揺動可能に取り付けられているため、該連結環に連結されたリードを様々な方向に引っ張っても、連結環がその方向に沿って向きを変えるために連結環に対してモーメントがかからず、負荷が小さくなり、破損し難く相対的に強度が増すという効果がある。また、連結環に連結されたリードを様々な方向に引っ張っても、当該首輪の周長が変化してしまうことがなく、周長が伸びて首輪が弛んで外れたり、周長が縮んで犬等の首部を締め付けてしまうことを防止することも出来る。
【考案を実施するための最良の形態】
【００１５】
この考案の好ましい実施の形態を、添付図面を参照しながら以下に詳細に説明する。図１は、輪状にした本考案を適用してなる首輪（１）の斜視図であり、図２は該首輪（１）の展開状態を示す斜視図である。図３は、本考案の主要部である連結環（２）周辺の拡大図であり、図４は本考案の主要部の背面の拡大図である。図５は該主要部の断面図である。図６は、本考案の主要部をなす連結環（２）の揺動状態を示す図である。図７は、本考案の首輪（１）の使用状態を示す図である。
【００１６】
図１及び図２に示すように、本考案の首輪（１）は、一端部に周長を調節するための留具（３）が取り付けられ、外側表面の所定の領域内の全域にわたって多数の装飾部材（４）が固設されるベルト（５）と、当該首輪（１）に対してリード（６）を連結するための閉曲線状をなす連結環（２）とを備える。
【００１７】
ベルト（５）は、革製の生地をほぼ一定の幅で所定の長さに形成してなり、留具（３）に装通しやすいように一端が略Λ字状に形成され、他端には該端部を折り返して留具（３）を固設するために、該折り返し部分（７）の該ベルト（５）の幅方向のほぼ中央部分に、該ベルト（５）の長手方向にほぼ平行な細長い長穴（８）が貫穿される。該ベルト（５）の略Λ字状に形成された側の端部の近傍における幅方向の中央部には、留具（３）をなす略棒状の留めピン（９）を挿通し得るように、長手方向に沿って所定間隔で小孔（１０）が貫穿され、留めピン（９）を挿通する小孔（１０）の位置によって首輪（１）の周長が変えられるようになっている。
【００１８】
留具（３）は、ベルト（５）の折り返し部分（７）の内側先端に折り込まれて固設される閉曲線状をなす略口字に形成され、該口字の一辺のほぼ中点に回動自在に取り付けられる略棒状をなす留めピン（９）を有する金属製の留具本体（１１）と、ベルト（５）の折り返し部分（７）のベルト（５）の生地の重なり部分に挟み込まれて該ベルト（５）端部近傍に取り付けられる閉曲線状をなすベルト端挿通部材（１２）とから構成される。留めピン（９）は、金属製であり、ベルト（５）に対して留具本体（１１）を折り込む際に、ベルト（５）の折り曲げ部分（１３）に貫穿された長穴（８）に挿通される。ベルト端挿通部材（１２）は、その内部にベルト（５）の折り返し部分（７）側の端部が挿通され、挿通されたベルト（５）生地と、折り返されたベルト（５）の生地とによって挟まれ、該ベルト端挿通部材（１２）を跨ぐように、二枚重なった表裏のベルト（５）の生地をリベット（１４）で固定することによって固設する。該ベルト端挿通部材（１２）は、ベルト（５）を輪状にして使用する際に、口字形の留具本体（１１）に通された略Λ字形のベルト（５）先端が挿通され、当該留具（３）による留め状態をより確実にするものである。
【００１９】
連結環（２）は、金属製で、略Ｄ字形をなし、その直線部分の長さがベルトの幅よりも若干長めにとられ、曲線部分はリード（６）先端に取り付けられたフック状の留具（１５）が容易に取り付けられる程度に、ベルト（５）の外側表面との間に若干広めの空間（Ｓ）を存するように形成されている。連結環（２）は、ベルト（５）の展開状態におけるほぼ中央、より好ましくは、ベルト（５）を輪状にした際において、ベルト（５）端部に取り付けられた留具（３）の位置に対して、ほぼ直径位置に、揺動可能に配設される。ベルト（５）に対する連結環（２）の取り付けは、Ｄ字形をなす連結環（２）の直線部分を、ベルト（５）の裏側にリベット（１６）で固設され、ベルト（５）の幅より若干狭い幅に形成された革製生地からなる帯状の連結環取付片（１７）と、ベルト（５）とによって若干ゆとりを持って挟み込むようにしてなされる（図３乃至図５参照）。このように、ベルト（５）に対して連結環（２）を揺動可能に取り付けることによって、リード（６）を引く方向に対応して、この方向に対してほぼ平行な方向に連結環（２）の向きが変化し（図６参照）、動作の自由度を向上させると共に、首輪の強度の向上を図ることが出来る。
【００２０】
装飾部材（４）は、略丸山状に形成された金属製の多数の部材であって、留具（３）をなす留めピン（９）を挿通して周長の調節を行なうためのベルト（５）の一端近傍の長手方向に沿って貫穿された小孔（１０）の貫穿領域を除き、留具（３）が取り付けられた側の端部から前記領域の手前までの領域の全域にわたってベルト（５）の外側表面に凸設される。
【００２１】
図７に示すように、上記構成の首輪（１）を犬（Ｄ）に取り付ける場合には、取り付け前に首輪（１）を図２のように展開しておき、犬（Ｄ）の首部を囲繞するように当該首輪を巻回し、略Λ状に形成された側のベルト（５）の先端を、留具（３）をなすロ字形の留具本体（１１）に挿通し、所望の周長に締めて留具（３）をなす留めピン（９）をベルト（５）に貫穿された小孔（１０）に挿通しつつ前記ベルト（５）の先端をベルト端挿通部材（１２）に挿通して固定する。このとき、留具（３）の周辺は下方に位置し、連結環（２）が上方、すなわち犬（Ｄ）の背中側に位置する。犬（Ｄ）の背中側に位置する連結環（２）の曲線部分に対して、リード（６）先端に固設されているフック状の留具（１５）を取り付けることが容易となる上、ベルト表面上に施された装飾がよく見えるようになり、犬（Ｄ）が不用意な方向に進行したり、強い力でリード（６）を引っ張っても、連結環（２）が破損したり、首輪（１）が犬（Ｄ）の首部を締め付けたり、逆に首輪（１）が弛んで外れたりすることが防止される。勿論、本考案の首輪（１）は、上記説明の構成に限らず、本考案の主旨を逸脱しない範囲において種々変更することが可能である。
【図面の簡単な説明】
【００２２】
【図１】輪状にした本考案を適用してなる首輪の斜視図
【図２】図１の首輪の展開状態を示す斜視図
【図３】本考案の主要部の拡大図
【図４】本考案の主要部の背面の拡大図
【図５】主要部断面図
【図６】本考案の主要部をなす連結環の揺動状態を示す図
【図７】本考案の首輪の使用状態を示す模式図
【符号の説明】
【００２３】
１  首輪
２  連結環
３  留具
４  装飾部材
５  ベルト
６  リード
７  折り返し部分
８  長穴
９  留めピン
１０  小孔
１１  留具本体
１２  ベルト端挿通部材
１３  折り曲げ部分
１４  リベット
１５  留具
１６  リベット
１７  連結環取付片
Ｄ  犬
Ｓ  空間
【図１】
0003130191.tif 000003
【図２】
0003130191.tif 000004
【図３】
0003130191.tif 000005
【図４】
0003130191.tif 000006
【図５】
0003130191.tif 000007
【図６】
0003130191.tif 000008
【図７】
0003130191.tif 000009